(57)【特許請求の範囲】
【請求項１】
画像データを入力する第１の入力手段と、
プリントモードを入力する第２の入力手段と、
前記第１の入力手段で入力された画像データと、前記第２の入力手段で入力されたプリントモードとを対応付けたジョブを登録する第１の登録手段と、
前記第１の登録手段で登録された前記ジョブを記憶する記憶手段と、
前記記憶手段で記憶された前記ジョブを再度呼出しして出力可能なメモリリコール手段と、
前記第２の入力手段で入力されたプリントモードを変更するモード変更手段と、
前記第１の入力手段で入力された画像データと、前記モード変更手段で変更されたプリントモードとを対応付けて、新たなジョブとして登録する第２の登録手段と、
前記第１および第２の登録手段ですでに登録されているジョブ群の中から、所定のジョブを指定した破棄命令を受付ける受付手段と、
前記破棄命令が指定したジョブと画像データは同一でプリントモードのみ異なる他のジョブを抽出する抽出手段と、
前記破棄命令が指定したジョブと、前記抽出手段で抽出されたジョブとを破棄する破棄手段とを備えたことを特徴とする、画像処理装置。
【請求項２】
前記モード変更手段は、前記メモリリコール手段の動作可能状態時にのみ有効である、請求項１に記載の画像処理装置。
【請求項３】
前記メモリリコール手段の動作可能状態時とは、メモリリコール対象ジョブの読取り開始から、メモリリコール機能の解除までの間のタイミングのことを指す、請求項２に記載の画像処理装置。
【請求項４】
画像データを入力する第１の入力ステップと、
プリントモードを入力する第２の入力ステップと、
前記第１の入力ステップで入力された画像データと、前記第２の入力ステップで入力されたプリントモードとを対応付けたジョブを登録する第１の登録ステップと、
前記第１の登録ステップで登録された前記ジョブを記憶する記憶ステップと、前記第２の入力ステップで入力されたプリントモードを変更するモード変更ステップと、
前記第１の入力ステップで入力された画像データと、前記モード変更ステップで変更されたプリントモードとを対応付けて、新たなジョブとして登録する第２の登録ステップと、
前記第１および第２の登録ステップですでに登録されているジョブ群の中から、所定のジョブを指定した破棄命令を受付ける受付ステップと、
前記破棄命令が指定したジョブと画像データは同一でプリントモードのみ異なる他のジョブを抽出する抽出ステップと、
前記破棄命令が指定したジョブと、前記抽出ステップで抽出されたジョブとを破棄する破棄ステップとを備えたことを特徴とする、画像処理方法。
【請求項５】
請求項４に記載の画像処理方法を実現させるためのプログラムを記録した記録媒体。
【発明の詳細な説明】
【０００１】
【発明の属する技術分野】
本発明は、画像処理装置、画像処理方法、および画像処理方法を実現させるためのプログラムを記録した記録媒体に関し、特にすでに登録されているジョブ群の中から、同一画像データをもつジョブを自動的に抽出し、それらの破棄を行なうことが可能である画像処理装置、画像処理方法、および画像処理方法を実現させるためのプログラムを記録した記録媒体に関する。
【０００２】
【従来の技術】
従来の技術として、登録したプリントジョブに対し、登録後にもそのプリントジョブのプリントモードを変更可能な画像処理装置が存在する。
【０００３】
また、あらかじめプリントモードだけをモードタイプとして名前を付けた複数種類の設定を登録しておき、ユーザは画像データに所望のモードタイプを対応付けてジョブを出力することにより、同一の画像データに対してもプリントモードの異なる処理を得られる画像処理装置もある。
【０００４】
ここで、上述の画像処理装置は記憶手段を備えており、ユーザが選択した所望のモードタイが複数個の場合、１つの画像データに対して各々複数のプリントモードが対応付けられた複数のプリントジョブ（すなわち、画像データは共通だがプリントモードのみが異なる複数のプリントジョブ）が登録可能である。
【０００５】
【発明が解決しようとする課題】
しかしながら上述の画像処理装置で、ユーザが、ある画像データに対して数種類のモードを設定してジョブを複数登録した後、その画像データを含むすべてのジョブを中止する事態が発生したとすると、ユーザは、他にも登録されているジョブ群の中から、係るジョブを抽出し、一つずつ指定して破棄していかねばならないという新たな問題が発生する。
【０００６】
これは、ユーザにとって多大な労力を強いることであり、モードを変更したジョブを新たなジョブとして登録できるという画像処理装置の機能が、ユーザにとって使い勝手よく発揮されていない。
【０００７】
そこで本発明においては、従来の画像処理装置のこのような問題を解決し、ユーザにとってより使い勝手のよい画像処理装置、画像処理方法、および画像処理方法を実現させるためのプログラムを記録した記録媒体を提供することを目的とする。
【０００８】
【課題を解決するための手段】
前記目的を達成するために、本発明のある局面に従うと、画像処理装置は、画像データを入力する第１の入力手段と、プリントモードを入力する第２の入力手段と、第１の入力手段で入力された画像データと、第２の入力手段で入力されたプリントモードとを対応付けたジョブを登録する第１の登録手段と、第１の登録手段で登録されたジョブを記憶する記憶手段と、記憶手段で記憶されたジョブを再度呼出しして出力可能なメモリリコール手段と、第２の入力手段で入力されたプリントモードを変更するモード変更手段と、第１の入力手段で入力された画像データと、モード変更手段で変更されたプリントモードとを対応付けて、新たなジョブとして登録する第２の登録手段と、第１および第２の登録手段ですでに登録されているジョブ群の中から、所定のジョブを指定した破棄命令を受付ける受付手段と、破棄命令が指定したジョブと画像データは同一でプリントモードのみ異なる他のジョブを自動的に抽出する抽出手段と、破棄命令が指定したジョブと、抽出手段で抽出されたジョブとを破棄する破棄手段とを備えたことを特徴とする。
【０００９】
また、上述のモード変更手段は、メモリリコール手段の動作可能状態時にのみ有効であることが望ましい。
【００１０】
また、上述のメモリリコール手段の動作可能状態時とは、メモリリコール対象ジョブの読取り開始から、メモリリコール機能の解除までの間のタイミングのことを指すことが望ましい。
【００１１】
また本発明の他の局面に従うと、画像処理方法は、画像データを入力する第１の入力ステップと、プリントモードを入力する第２の入力ステップと、第１の入力ステップで入力された画像データと、第２の入力ステップで入力されたプリントモードとを対応付けたジョブを登録する第１の登録ステップと、第１の登録ステップで登録されたジョブを記憶する記憶ステップと、第２の入力ステップで入力されたプリントモードを変更するモード変更ステップと、第１の入力ステップで入力された画像データと、モード変更ステップで変更されたプリントモードとを対応付けて、新たなジョブとして登録する第２の登録ステップと、第１および第２の登録ステップですでに登録されているジョブ群の中から、所定のジョブを指定した破棄命令を受付ける受付ステップと、破棄命令が指定したジョブと画像データは同一でプリントモードのみ異なる他のジョブを抽出する抽出ステップと、破棄命令が指定したジョブと、抽出ステップで抽出されたジョブとを破棄する破棄ステップとを備えたことを特徴とする。
【００１２】
また本発明の他の局面に従うと、画像処理方法を実現させるためのプログラムを記録した記録媒体は、上述の画像処理方法を実現させるためのプログラムを記録していることを特徴とする。
【００１３】
【発明の実施の形態】
［第１の実施の形態］
図１は、本発明の第１の実施の形態における（画像処理装置の一例である）ディジタル複写機１の全体構成を示す正面断面図である。このディジタル複写機１（以下複写機１という）は、原稿を読取って画像信号に変換する走査系１０、走査系１０から送られる画像信号を処理する画像信号処理部２０、画像信号処理部２０から入力される画像データを蓄えるためのメモリユニット部３０、メモリユニット部３０から入力される画像データに基づいて２つの半導体レーザ６１，６２からの２本のレーザ光を感光体ドラム７１上の異なった露光位置に導く光学系６０、露光により形成された潜像を現像し用紙上に転写しかつ定着して画像を形成する作像系７０、複写機１の本体上面に設けられた操作パネルＯＰ、原稿を搬送し必要に応じて表裏の反転を行なう原稿搬送部５００、用紙を再度転写位置に供給するための再給紙部６００および排紙されて用紙をビン上に仕分けるソータ部７００から構成される。
【００１４】
なお、走査系１０および画像信号処理部２０などによって読取り装置ＩＲが、また印字処理部４０、光学系６０、および作像系７０などによってプリンタ装置ＰＲＴが、それぞれ構成されている。
【００１５】
走査系１０は、原稿台ガラス１８の下方を移動するスキャナ１９に組付けられた露光ランプ１１、第１ミラー１２、第２ミラー１３Ａ、第３ミラー１３Ｂ、集光用レンズ１４、ダイクロイックミラー１５、ＣＣＤアレイなどを用いた光電変換素子１６，１７およびスキャンモータＭ２などから構成されている。
【００１６】
ダイクロイックミラー１５は、原稿からの反射光のうち、たとえば赤色などの特定色の光を反射し、特定色の補色の光を透過させる。光電変換素子１６，１７は、原稿内の黒色を主とした非特定色の画像と、特定色（赤色）の画像とをそれぞれ個別に電気信号に変換する。
【００１７】
画像信号処理部２０は、２つの光電変換素子１６，１７から出力される画像信号を処理し、原稿画像の各画素を特定色（第２色）とそれ以外の色（第１色）とに識別し、メモリユニット部３０に対して色データ付の画像データを出力する。
【００１８】
メモリユニット部３０は、画像処理部２０から受信した画像データを圧縮して一旦記憶し、伸長処理を行なってプリンタ装置ＰＲＴへ送信する。その際、必要な場合には、回転編集処理などが施される。
【００１９】
また、メモリユニット部３０は、外部機器インタフェース部を有しており、外部機器接続用コネクタ９０を介し、外部ケーブル９１を通してパーソナルコンピュータなどの外部機器に接続することができる。
【００２０】
印字処理部４０は、送られてきた色データ付の画像データに応じてそれらを２つの半導体レーザ６１，６２へ振分けると共に、２つの半導体レーザ６１，６２に対応する露光位置の違いに応じて、一方の半導体レーザ６２に与える画像データを遅延させる。
【００２１】
光学系６０は、半導体レーザ６１，６２、２本のレーザビームを合成するためのダイクロイックミラー６３、合成レーザビームを偏向するポリゴンミラー６５、主レンズ６９、反射ミラー６７Ａ、合成レーザビームを元の２本のレーザビームに分離するためのダイクロイックミラー６８および反射ミラー６７Ｂ，６７Ｃなどから構成されている。
【００２２】
作像系７０は、現像転写系７０Ａ、搬送系７０Ｂ、定着系７０ＣおよびメインモータＭ１などから構成されている。
【００２３】
現像転写系７０Ａは、図１の反時計方向に回転駆動される感光体ドラム７１、その周囲に回転方向の上流側から順に配置された第１帯電チャージャ７２Ａ、第１現像器７３Ａ、第２帯電チャージャ７２Ｂ、第２現像器７３Ｂ、転写チャージャ７４、分離チャージャ７５およびクリーニング部７６などからなる。第１現像器７３Ａには、第２色に対応した赤色トナーとキャリアからなる２成分現像剤が収納され、第２現像器７３Ｂには第１色に対応した黒色トナーとキャリアからなる２成分現像剤が収納されている。
【００２４】
搬送系７０Ｂは、用紙を収納するカセット８０Ａ，８０Ｂ、用紙サイズを検出するサイズ検出センサＳＥ１１，１２、用紙ガイド８１、タイミングローラ８２、搬送ベルト８３、および再給紙部６００から搬入された用紙を搬送する水平搬送ローラ８６Ａ，８６Ｂ，８６Ｃなどからなる。
【００２５】
定着系７０Ｃは、用紙を熱圧着しながら搬送する定着ローラ８４、排出ローラ８５、および用紙の排出を検出する排出センサＳＥ６２などからなる。
【００２６】
再給紙部６００は、ソータ部７００への排出と再給紙とを切換えるための切換爪６０１、搬送ローラ６０２、反転ローラ６０３、排出ローラ６０４および反転センサＳＥ６１などから構成されている。再給紙部６００は、排出ローラ８５から排出された用紙を一旦収納し、両面モードのときには表裏を反転して、合成モードのときには表裏反転を行なわずに、再度の画像形成（プリント）のために搬送系７０Ｂの水平搬送ローラ８６Ａに搬入する循環式のものである。
【００２７】
両面モードにおいては、図示しないソレノイドによって切換爪６０１の左端部が上方へ移動し、これによって排出ローラ８５から排出された用紙が搬送ローラ６０２の方へと誘導され、搬送ローラ６０２を通って反転ローラ６０３に達する。用紙の後端が反転センサＳＥ６１に達すると、反転ローラ６０３が反転し、これによって用紙は水平搬送ローラ８６Ａの方へと搬送され、水平搬送ローラ８６Ｂ，Ｃを通ってタイミングローラ８２まで達して待機する。このとき、次の用紙も順次所定の間隔で搬送されてきており、片面にコピーされた用紙が待機できる枚数は、画像データの遅延がないとした場合には用紙の長さに依存することになる。
【００２８】
原稿搬送部５００は、給紙ローラ５０１、捌きローラ５０２、捌きパッド５０３、中間ローラ５０４、レジストローラ５０５、搬送ベルト５０６、反転ローラ５０７、切換爪５０８、排出ローラ５０９、原稿給紙トレイ５１０、原稿排紙部５１１、原稿スケール５１２、給紙センサＳＥ５１および排出センサＳＥ５２などから構成されている。原稿搬送部５００は、原稿給紙トレイ５１０上にセットされた原稿を自動的に原稿台ガラス１８上に搬送し、スキャナ１９によって原稿を読取った後には原稿排紙部５１１へ排出する。
【００２９】
原稿給紙トレイ５１０上には、１枚または複数枚からなる原稿セットがセットされ、片面モードではそれらの片面が、両面モードでは各原稿が反転されてそれぞれの両面が読取られる。例えば片面モードでは、セットされた原稿の最下部の原稿から順に給紙ローラ５０１によって搬送され、捌きローラ５０２と捌きパッド５０３によって搬送された原稿が捌かれ、中間ローラ５０４を通り、レジストローラ５０５によって斜行を補正され、搬送ベルト５０６によって原稿台ガラス１８上に搬送され、原稿の後端が原稿スケール５１２の左端を通過した直後に搬送ベルト５０６が僅かに逆転して停止する。これによって、原稿の右端（後端）が原稿スケール５１２の端縁に当たり、原稿が原稿台ガラス１８上に正確に位置決めされる。その状態で、スキャナ１９がスキャンを行なって原稿の表面（下面）を読取る。原稿の読取りが終了すると、原稿は搬送ベルト５０６によって左方へ搬送され、反転ローラ５０７でＵターンし、切換爪５０８の上方を通って排出ローラ５０９により原稿排紙部５１１上に排出される。これらの動作が原稿給紙トレイ５１０上の原稿が無くなるまで繰返される。
【００３０】
なお、原稿の読取りと同時にその画像データがメモリユニット部３０に格納され、セットされた一連の原稿の全部を読取ることによって１セットの原稿の読取りジョブが終了する。メモリユニット部３０に格納された１セットの原稿の画像データは、後に説明する画像データテーブルで管理される。
【００３１】
図２は、図１に示すソータ部７００の詳細な構成を示す正面断面図である。ソータ部７００は、図１に示す再給紙部６００の側方に配され、再給紙部６００から排出されるコピー紙を繰込み入れる繰込みローラ７０３、繰込み入れたコピー紙の搬送方向を切換えるための切換ガイド７０４、コピー紙を排紙トレイ７０１上に搬送するための搬送ローラ７０５、排紙ローラ７０６、用紙をソートビン７０２上に仕分け搬送するためのガイドユニット７０７および搬送ベルト７０８などから構成されている。ソータ部７００は、再給紙部６００における排出ローラ６０４によって排出されたコピー紙を、排紙トレイ７０１上あるいは該排紙トレイ７０１の下方の位置に上下方向に多数枚配したソートビン７０２上に仕分けて排出する。
【００３２】
上記切換ガイド７０４は、ソレノイドＳＬ１のオンオフによって切換えられ、コピー紙は排紙トレイ７０１上か、あるいはソートビン７０２上に排紙される。
【００３３】
また、ガイドユニット７０７は、排紙ビン切換えモータＭ３によって昇降駆動され、その結果、用紙は所定のソートビン７０２上に仕分けられる。なお、ガイドユニット７０７の昇降移動における上限位置の検出は、トップビン検出センサＰＳ１により、ジャムの検出はジャム検出センサＰＳ２により、排出ローラ６０４による用紙の排出の検出については、排出検出センサＰＳ３によって行なわれる。
【００３４】
図３は、複写機１の本体上面に設けられた操作パネルＯＰの平面図である。
操作パネルＯＰには、状態表示および各種モード設定のための液晶タッチパネル１０１と、コピー枚数など各種数値入力するためのテンキー１０２と、読込みやコピー開始などを指示するためのスタートキー１０３と、数値条件などを標準値に戻すクリアキー１０４と、読込み動作やプリント動作の中止を指示するためのストップキー１０５と、コピーモードなどを初期化するためのパネルリセットキー１０６と、プリント可能な状態か否かを表示するプリント表示１０７と、読込み可能な状態か否かを表示する読込み表示１０８と、ジョブの有無の表示や変更などの指示を行なうためのジョブ確認キー１０９と、メモリリコールを指示するメモリリコールキー１１０などが配置されている。メモリリコールキー１１０は、ユーザがメモリリコール可の設定をしているときのみに有効となるキーのため、メモリリコール可のときにのみ、液晶タッチパネル１０１上に設けることもできる。
【００３５】
図４は第１の実施の形態における複写機１の全体構成を表わすブロック図である。複写機１は、複写機１の制御命令入力および制御などを行なう操作部（Ａ）（操作パネルＯＰなど）、原稿を読取って画像信号に変換し処理を行なう画像読取り部（Ｂ）（走査系１０、画像処理部２０など）、画像データを蓄えるメモリ部（Ｃ）（メモリユニット部３０など）およびプリント部（Ｄ）（印字処理部４０、光学系６０、作像系７０など）から構成されている。
【００３６】
図５は、図４に示すメモリ部（Ｃ）の構成図である。メモリ部（Ｃ）は、画像管理テーブル（ａ）とジョブ管理テーブル（ｂ）を含んでいる。読取り部（Ｂ）で読取られた画像データは画像管理テーブル（ａ）で管理され、操作部（Ａ）で登録されたジョブはジョブ管理テーブル（ｂ）で管理される。ジョブ管理テーブル（ｂ）では、そのジョブの対象としている画像データ、置数（コピー枚数）、動作モード、仕上げモード、ステータス（現在のジョブの状態）などが管理されている。
【００３７】
図６は、本実施の形態において複写機１で行なわれる処理の流れを示すメインフローチャートである。
【００３８】
図６を参照して、複写機１の電源をＯＮするなどしてリセットがかかると、図６に示すメインフローチャートのプログラムがスタートする。まず、各部の初期化が行なわれる（Ｓ１）。その後、内部タイマをスタートさせる（Ｓ３）。この内部タイマには予めステップＳ１の初期化処理において初期値が設定されている。
【００３９】
続いて操作部（Ａ）での各種処理（Ｓ５）と、その他の処理（Ｓ７）とを順次行なう。
【００４０】
すべてのサブルーチン処理が終了すると、ステップＳ３にてセットした内部タイマの終了を待って（Ｓ９）、１ルーチンを終了し、ステップＳ３に戻る。
【００４１】
複写機１では上記の処理が繰返して行なわれる。
図７は、図６のステップＳ５で行なわれる、操作部（Ａ）が行なう処理を示すフローチャートである。
【００４２】
図７を参照して、読取り部（Ｂ）がアクティブな状態、すなわち読取り動作中、あるいは読取り（一旦）停止状態であれば（Ｓ１０１でＹ）、読取り部（Ｂ）は新たなジョブの読取り動作ができず、操作部（Ａ）は、操作パネルＯＰの読込み表示１０８の読取り可を示す表示を解除（消灯）する（Ｓ１０２）。さらに、この場合において、ユーザからの要求に応じて対象ジョブの破棄処理を行なう（Ｓ１０３）。また、読取り部（Ｂ）がアクティブではない状態、すなわち読取り動作中でも読取り（一旦）停止状態でもなければ（Ｓ１０１でＮ）、読取り部（Ｂ）は新たなジョブの読取り動作ができ、操作部（Ａ）は、操作パネルＯＰの読込み表示１０８に読取り動作可を示す表示（点灯）を行なう（Ｓ１０４）。
【００４３】
同様に、プリント部（Ｄ）がアクティブな状態、すなわちプリント動作中、あるいはプリント（一旦）停止状態であれば（Ｓ１０５でＹ）、プリント部（Ｄ）は新たなジョブのプリント動作ができず、操作部（Ａ）は、操作パネルＯＰの読込み表示１０７のプリント動作可を示す表示を解除（消灯）する（Ｓ１０６）。さらに、この場合において、ユーザからの要求に応じて対象ジョブの破棄処理を行なう（Ｓ１０７）。また、プリント部（Ｄ）がアクティブではない状態、すなわちプリント動作中でもプリント（一旦）停止状態でもなければ（Ｓ１０５でＮ）、プリント部（Ｄ）は新たなジョブのプリント動作ができ、操作部（Ａ）は、操作パネルＯＰのプリント表示１０７にプリント動作可を示す表示（点灯）を行なう（Ｓ１０８）。
【００４４】
さらに操作部（Ａ）はジョブが登録可能かどうかの判断を行なう（Ｓ１０９）。ジョブの登録が可能な場合は（Ｓ１０９で可能）、スタートキー１０３が緑に表示（点灯）され（Ｓ１１０）、ジョブが登録不可能な場合（Ｓ１０９で不可）にはスタートキー１０３が橙に表示（点灯）される（Ｓ１１３）。ジョブの登録が可能な場合において、モード設定処理（Ｓ１１１）と、ジョブの登録処理（Ｓ１１２）が行なわれる。
【００４５】
ジョブが登録可能かどうかの判断にかかわらずどちらの状態であっても、ユーザの要求に応じて、すでに登録されているジョブに対して追加登録の処理を行なうことができる（Ｓ１１４）。
【００４６】
図８は、図７のステップＳ１０３またはＳ１０７で行なわれる、ジョブの破棄処理を示すフローチャートである。この処理によって、ユーザは、破棄対象とする画像データを含む複数のジョブをまとめて破棄することができる。このジョブ破棄処理は、読取り部（Ｂ）またはプリント部（Ｄ）の少なくとも一方がアクティブで動作可能な状態でないと行なわれない。
【００４７】
図８を参照して、操作部（Ａ）は、読取り部（Ｂ）が原稿読取り動作を行なっていないとき、またはプリント部（Ｄ）がプリント動作を行なっていないとき（Ｓ２０１でＹ）に、ユーザの破棄命令を受付けることができる（Ｓ２０２）。
【００４８】
読取り部（Ｂ）が原稿読取り動作を行なっているとき、またはプリント部（Ｄ）がプリント動作を行なっているとき（Ｓ２０１でＮ）は、ユーザがストップキー１０５を押下すると（Ｓ２０６でＹ）、動作中のジョブは停止状態になる（Ｓ２０７）。この停止状態において、操作部（Ａ）は破棄命令を受付けることができるようになる（Ｓ２０１でＹ）。
【００４９】
読取り部（Ｂ）が原稿読取り動作を行なっているとき、またはプリント部（Ｄ）がプリント動作を行なっているとき（Ｓ２０１でＮ）にユーザがストップキー１０５を押下しなかった場合（Ｓ２０６でＮ）、読取り動作またはプリント動作はそのまま続行され、破棄要求は受付けられない。
【００５０】
ユーザは破棄命令を発行するために、ここでの破棄命令の対象となるジョブ（以下対象ジョブという）を登録した直後に、メモリリコールキー１０１を押下する。メモリリコールキー１０１が押下されると、操作部（Ａ）は、メモリ部（Ｃ）に記憶されているメモリリコールの対象とする（対象ジョブのジョブ管理テーブル（ｂ）に含まれている）画像データ（以下対象画像データという）を抽出し（Ｓ２０３）、図９に示されるメモリリコール画面に表示する。メモリリコール画面は液晶タッチパネル１０１に表示される。
【００５１】
メモリリコール機能は、ユーザがメモリリコール可を設定しているときに機能し、直前に読込んだ画像データを所定時間メモリ内に残しておく機能である。また、所定時間を経過しなくても、複写機１の電源をオフにしたときや、新たな画像データを読込んだときや、パネルリセットキー１０６を押下したときなどに、メモリリコール機能は、その対象とする画像データに対して機能を失い、ユーザはその画像データのメモリリコールができなくなる。ユーザはメモリリコールキー１０１を押下すると、メモリ内に残してある画像データを呼出すことができる。本実施の形態においては、ユーザは予めメモリリコール可の設定を行なっているものとする。
【００５２】
ユーザが、図９に示されるメモリリコール画面上の消去キー１１１にタッチすると、操作部（Ａ）は、メモリ部（Ｃ）に登録されているすべてのジョブから、ジョブ管理テーブル（ｂ）に対象画像データを含んでいるジョブ（以下関連ジョブという）を抽出する（Ｓ２０４）。その結果は図１０に示される関連ジョブ抽出画面に表示される。関連ジョブ抽出画面は液晶タッチパネル１０１に表示される。
【００５３】
ユーザが、図１０に示される関連ジョブ抽出画面で関連ジョブを確認し、消去を選択すると、メモリ部（Ｃ）から、対象ジョブおよびその関連ジョブの管理テーブル（ｂ）が破棄され、かかるジョブの破棄が実行される（Ｓ２０５）。
【００５４】
上記の処理を行なうことで、ユーザは、同一の画像データで登録した複数のジョブをすべて破棄する場合、ジョブを一つずつ指定して破棄命令を行なうのではなく、画像データを含むジョブをすべて抽出し、それらを一度の操作で破棄することができる。
【００５５】
なお、同一の画像データで複数のジョブを登録する登録処理は、ステップＳ１１２やステップＳ１１４において行なわれる。その詳細については、後に説明を行なう。
【００５６】
図１１は、図７のステップＳ１０９で行なわれる、ジョブ登録可能であるか否かの判断の流れを示すフローチャートである。トラブルでなく（Ｓ３０１でＹ）、ジャムでなく（Ｓ３０２でＹ）、全ての扉が閉まっており（Ｓ３０３でＹ）、用紙があり（３０４でＹ）、読取り部（Ｂ）の初期化が完了して準備ができ（Ｓ３０５でＹ）、メモリ部（Ｃ）の初期化が完了して準備ができている（Ｓ３０６でＹ）ことを確認すると、操作部（Ａ）はジョブ登録可能と判断する。それ以外の場合（Ｓ３０１〜Ｓ３０６でＮ）、操作部（Ａ）はそれぞれ警告表示を行ない（Ｓ３０７〜Ｓ３１１）、ジョブ登録不可能と判断する。
【００５７】
図１２は、図７のステップＳ１１１において、ジョブ登録可能時に実行されるモード設定処理を示すフローチャートである。ユーザはジョブ登録に先立ってモード設定を行ない、画像データに、設定されたモードを付加してジョブ登録を行なうことができる。
【００５８】
図１２を参照して、操作部（Ａ）は、初期値やすでに登録されているジョブに設定されている数値に対して、ユーザの置数入力（Ｓ４０１）に応じて置数を更新し（Ｓ４０２）、ユーザの動作モード入力（Ｓ４０３）に応じて動作モードを更新し（Ｓ４０４）、ユーザの仕上げモード入力（Ｓ４０５）に応じて仕上げモードを更新し（Ｓ４０６）、モードを設定する。上記の入力が無い場合は、（Ｓ４０１、Ｓ４０３およびＳ４０５でＮ）、モードは初期値、もしくは登録されているジョブに設定されている数値のまま設定され、変更は行なわれない。
【００５９】
図１３は、図７のステップＳ１１２で、モード設定後に行なうジョブ登録処理を示すフローチャートである。
【００６０】
図１３を参照して、メモリリコール待機フラグ（初期値０）が０の状態（Ｓ５０１でＹ）、すなわちメモリリコールの対象となる画像データがない状態で原稿読取りが開始されると（Ｓ５０２でＹ）、メモリリコール待機フラグが１になり（Ｓ５０３）、読取られた画像データに対してメモリリコールが可能になる。
【００６１】
ユーザがスタートキー１０３を押下すると（Ｓ５０４でＹ）、読取り部（Ｂ）に、原稿の読取りが指示される。読取られた画像データは、ステップＳ１１１で設定されたモードを付加され、メモリ部（Ｃ）に新しいジョブとしてジョブ管理テーブル（ｂ）が登録される（Ｓ５０５）。
【００６２】
メモリリコール待機フラグが１の状態であるとき（Ｓ５０１でＮ）、すなわちメモリリコールの対象となる画像データがある状態で、ユーザは、スタートキー１０３を押下して新しい原稿の読取りを行なっている最中に（Ｓ５０６でＹ）、再度スタートキー１０３を押下する（Ｓ５０８でＹ）。すると、読取っている画像データに対する新たなジョブのジョブ管理テーブル（ｂ）を、メモリ部（Ｃ）に登録できる（Ｓ５０９）。
【００６３】
また、上述のメモリリコール可能な状態で、ユーザがメモリリコールキー１１０を押下してその画像データのメモリリコールを行ない、スタートキー１０３を押下する（Ｓ５０８）。これによりユーザは、メモリリコール対象の画像データに対する新たなジョブのジョブ管理テーブル（ｂ）を、メモリ部（Ｃ）に登録できる（Ｓ５０９）。
【００６４】
上述の、ステップＳ５０８でユーザがスタートキー１０３を押下する前に、ステップＳ１１１のモード設定処理において各種設定変更がされていたら、読取られた画像データあるいはメモリリコールされた画像データは、その設定変更されたモードを付加されて、新たなジョブとして登録される。操作部（Ａ）は、そのときの読取られた画像データあるいはメモリリコールされた画像データと、上で更新設定された（Ｓ１１１）モード設定とを新たなジョブとして、そのジョブ管理テーブル（ｂ）をメモリ部（Ｃ）に登録する（Ｓ５０９）。
【００６５】
さらに上述の、メモリリコール待機フラグが１の状態であるとき（Ｓ５０１でＮ）、すなわちメモリリコールの対象となる画像データがある状態で、新しい原稿の読取りを行なわず（Ｓ５０６でＮ）、かつメモリリコールを行なわないとき（Ｓ５０７でＮ）、ユーザがパネルリセットキー１０６を押下するか（Ｓ５１０でＹ）、または所定時間（例えば、１分間）キー操作がなく、オートクリアがかかると（Ｓ５１１でＹ）、メモリリコール待機フラグは０となり、メモリリコール待機フラグが１の状態においてメモリリコールの対象となっていた画像データに対して、メモリリコールはできなくなる（Ｓ５１２）。
【００６６】
上記のステップＳ５１１において、ユーザがオートクリアをせず（Ｓ５１１でＮ）、スタートキー１０３を押下すると（Ｓ５０４でＹ）、読取り部（Ｂ）に原稿の読取りが指示される。読取られた画像データは、ステップＳ１１１で設定されたモードを付加され、メモリ部（Ｃ）に新しいジョブのジョブ管理テーブル（ｂ）として登録される（Ｓ５０５）。
【００６７】
以上のジョブ登録処理によって、ユーザは、通常のジョブの登録もでき、さらに、読取り中の画像データやすでに読取られてメモリリコール可能な画像データに対して新しいモードを設定して、新たなジョブのジョブ管理テーブル（ｂ）として登録することも可能である。すなわち、ユーザは、同一の原稿データ群に対して、異なる形式のコピーを得るための設定を素早く行なうことができる。
【００６８】
図１４は、図７のステップＳ１１４で、ジョブ登録後に行なう、前画像ジョブ登録処理を示すフローチャートである。この処理によりユーザは、メモリリコール可能な画像データに対する新たなジョブの登録ではなく、すでに登録したジョブに含まれ、メモリリコールはできなくなっている画像データに対して新たなジョブの追加登録を行なう。
【００６９】
ユーザが操作パネルＯＰのジョブ確認キー１０９を押下すると、液晶タッチパネル１０１に、図１５に示すジョブ確認画面が表示される（Ｓ６０１でＹ）。ユーザが追加キー１１２にタッチして、すでに登録されている複数のジョブの一覧表１１３の中から追加登録したいジョブを指定すると、指定されたジョブが、図１６に示されるジョブ追加画面に表示され（Ｓ６０２）、指定されたジョブのモードの設定変更が可能になる。ユーザはジョブ追加画面で、指定されたジョブのモードの設定変更を行なう（Ｓ６０３）。ユーザが登録キー１１４にタッチすると（Ｓ６０４でＹ）、モードが設定変更されたジョブは新たなジョブとして、元の指定されたジョブとは別にジョブ管理テーブル（ｂ）が作成され、メモリ部（Ｃ）に登録される（Ｓ６０５）。
【００７０】
以上の前画面ジョブ登録処理によって、ユーザは、所定時間が経過したり、次の読込みがなされたりして、メモリリコールができなくなっているジョブですでに登録されているジョブに対して、モードの変更および設定を行ない、新たなジョブとして登録ができる。
【００７１】
また、上記の前画面ジョブ登録処理は、ステップＳ１０９におけるジョブ登録可能の判断結果にはよらず、ジョブ登録不可能と判断された状態であっても、既存のジョブに対して実行可能なものである。
【００７２】
さらに、ユーザが、コピーが終了してジョブ終了状態になってもジョブが消去されないように設定をすれば、ジョブの履歴とともにそのジョブに含まれる画像データも保持される。したがってユーザは、いくつかの登録されたジョブが実行された後でも、その前に実行されたジョブを履歴から呼出して、そのジョブに対してモードの変更などを行なった別のジョブを設定することが可能となる。
【００７３】
［第２の実施の形態］
第１の実施の形態においては、ジョブに含まれる画像データは、読取り部（Ｂ）で読取られた画像に限定したが、プリントコントローラで受信することもできる。第２の実施の形態においては、プリントコントローラで受信する場合の説明を行なう。
【００７４】
本実施の形態における画像処理装置は、第１の実施の形態と同様に複写機１とし、その構成は図１および図２に示される。ここでは第１の実施の形態と異なる点のみ説明を行なう。
【００７５】
本実施の形態において、複写機１のメモリユニット部３０は、外部機器接続用コネクタ９０を介し、外部ケーブル９１を通してパーソナルコンピュータと接続されている。
【００７６】
メモリユニット部３０には、外部機器とのインタフェースを行なう機能があり、画像データや制御データのやり取りはメモリユニット３０を介して実行される。
【００７７】
図１７は本実施の形態における画像処理システムの全体構造図を示すブロック図であり、本画像処理システムは操作部（Ａ）、画像読取り部（Ｂ）、メモリ部（Ｃ）、プリント部（Ｄ）、プリントコントローラ（Ｅ）（外部インタフェース部）およびコンピュータ（Ｆ）から構成されている。コンピュータ（Ｆ）から送信されプリントコントローラ（Ｅ）で受信した画像データは、読取り部（Ｂ）で読取られた画像データと同価にメモリ部（Ｃ）に入力され、管理も同価になされる。メモリ部（Ｃ）の構成は、第１の実施の形態と同様であり、図４に示される。
【００７８】
第１の実施の形態においては、ジョブ登録の処理のステップＳ５０２およびステップＳ５０６における画像データ受信開始の操作は、ユーザがスタートキー１０３を押下することで行なわれたが、本実施の形態においてはプリントコントローラ（Ｅ）が接続されたコンピュータ（Ｆ）から行なわれ、本画像形成装置の操作部（Ａ）の操作は不要となる。操作部（Ａ）はプリントコントローラ（Ｅ）での画像の受信状態を、図１７に示す制御信号により検知し、読取り部（Ｂ）の原稿読取り動作と同等にジョブの登録に関して作用する。
【００７９】
また、上述の如く、画像データの受信開始はコンピュータ（Ｆ）の操作によって行なわれるので、ステップＳ５０４でスタートキー１０３が押下されると、読取り部（Ｂ）に対して読取り開始の指示がなされ、プリントコントローラ（Ｅ）に対して受信開始の指示はなされない。
【００８０】
プリントコントローラ（Ｅ）で受信された画像データは、読取り部（Ｂ）で読取られた画像データと同等に扱われ、以下、第１の実施の形態と同様の処理が行なわれる。
【００８１】
なお、本発明の第１および第２の実施の形態において、本発明に係る画像処理装置をディジタル複写機として説明を行なったが、ファクシミリ機、プリンタなどの画像複写機であっても構わない。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  第１の実施の形態における複写機１の全体構成を示す正面断面図である。
【図２】  図１に示す複写機１のソータ部の詳細な構成を示す正面断面図である。
【図３】  複写機１の本体上面に設けられた操作パネルＯＰの平面図である。
【図４】  第１の実施の形態における複写機１の全体構成を表わすブロック図である。
【図５】  図４に示すメモリ部（Ｃ）の構成図である。
【図６】  第１の実施の形態において複写機１で行なわれる処理の流れを示すメインフローチャートである。
【図７】  図６のステップＳ５で行なわれる、操作部（Ａ）が行なう処理を示すフローチャートである。
【図８】  図７のステップＳ１０３またはＳ１０７で行なわれる、ジョブの破棄処理を示すフローチャートである。
【図９】  液晶タッチパネル１０１に表示される、メモリリコール画面を示す図である。
【図１０】  液晶タッチパネル１０１に表示される、関連ジョブ抽出画面を示す図である。
【図１１】  図７のステップＳ１０９で行なわれる、ジョブ登録可能であるか否かの判断の流れを示すフローチャートである。
【図１２】  図７のステップＳ１１１において、ジョブ登録可能時に実行されるモード設定処理を示すフローチャートである。
【図１３】  図７のステップＳ１１２で、モード設定後に行なうジョブ登録処理を示すフローチャートである。
【図１４】  図７のステップＳ１１４で、ジョブ登録後に行なう、前画像ジョブ登録処理を示すフローチャートである。。
【図１５】  液晶タッチパネル１０１に表示される、ジョブ確認画面を示す図である。
【図１６】  液晶タッチパネル１０１に表示される、ジョブ追加画面を示す図である。
【図１７】  第２の実施の形態における複写機１の全体構造を表わすブロック図である。
【符号の説明】
１  複写機、１０１  液晶タッチパネル、１０２  テンキー、１０３  スタートキー、１０４  クリアキー、１０５  ストップキー、１０６  パネルリセットキー、１０７  プリント表示、１０８  読込み表示、１０９  ジョブ確認キー、１１０  メモリリコールキー、１１１  消去キー、１１２  追加キー、１１３  ジョブ一覧表、１１４  登録キー、３０  メモリユニット部、９０  外部機器接続用コネクタ、９１  外部ケーブル、Ａ  操作部、Ｂ  画像読取り部、Ｃ  メモリ部、Ｄ  プリント部、Ｅ  プリントコントローラ、Ｆ  コンピュータ、ａ  画像管理テーブル、ｂ  ジョブ管理テーブル、ＩＲ  読取り装置、ＯＰ  操作パネル。
【図１】
0003982175.tif 000002
【図２】
0003982175.tif 000003
【図３】
0003982175.tif 000004
【図４】
0003982175.tif 000005
【図５】
0003982175.tif 000006
【図６】
0003982175.tif 000007
【図７】
0003982175.tif 000008
【図８】
0003982175.tif 000009
【図９】
0003982175.tif 000010
【図１０】
0003982175.tif 000011
【図１１】
0003982175.tif 000012
【図１２】
0003982175.tif 000013
【図１３】
0003982175.tif 000014
【図１４】
0003982175.tif 000015
【図１５】
0003982175.tif 000016
【図１６】
0003982175.tif 000017
【図１７】
0003982175.tif 000018